(57)【特許請求の範囲】
【請求項１】
水平縦部材、水平横部材、および垂直部材を、結合して構築した室外機用の枠状据付台であって、
水平縦部材および水平横部材のうちいずれか一方の側縁に固定した平板状結合部材の垂直壁部と、他方の上縁および下縁のうち少なくともいずれか一方に固定した略Ｌ字状に屈曲した板状のＬ型結合部材の垂直壁部とが、相互に略平行に対向し、それら垂直壁部同士で垂直部材を挟み込む状態で、前記平板状結合部材、前記Ｌ型結合部材、および垂直部材を固定することで、水平縦部材、水平横部材、および垂直部材を結合した部材結合箇所を有し、
水平縦部材および水平横部材のうちいずれか一方の上縁および下縁の双方に、前記Ｌ型結合部材を、上下方向に相反する姿勢で、かつそれらの垂直壁部同士が略同一平面上に連なるように固定するとともに、
それら二つのＬ型結合部材の垂直壁部が、双方とも、水平縦部材および水平横部材のうちいずれか他方の側縁に固定した平板状結合部材の垂直壁部と、相互に略平行に対向するようにし、
上縁に固定した前記Ｌ型結合部材と前記平板状結合部材とで一の垂直部材を挟み込み、かつ下縁に固定した前記Ｌ型結合部材と前記平板状結合部材とで別の垂直部材を挟み込む状態で、前記平板状結合部材、二つの前記Ｌ型結合部材、および二つの前記垂直部材を固定することで、水平縦部材、水平横部材、および二つの垂直部材を結合した部材結合箇所を有することを特徴とする枠状据付台。
【請求項２】
前記平板状結合部材を略Ｔ字状に形成したことを特徴とする請求項１に記載の枠状据付台。
【請求項３】
前記平板状結合部材および前記Ｌ型結合部材のうち少なくともいずれか一方に、前記垂直部材を上下方向に案内するガイド部を設けたことを特徴とする請求項１または２に記載の枠状据付台。
【請求項４】
前記平板状結合部材および前記Ｌ型結合部材の相互に対向する垂直壁部の上縁同士または下縁同士を上下方向にずらしたことを特徴とする請求項１〜３のうちいずれか一つに記載の枠状据付台。
【請求項５】
水平縦部材と水平横部材とを上下方向にずらした状態で結合したことを特徴とする請求項４に記載の枠状据付台。
【請求項６】
相互に平行な一対の水平縦部材と相互に平行な一対の水平横部材とを前記平板状結合部材および前記Ｌ型結合部材を用いて相互に結合して室外機の台座枠を形成するとともに、前記水平縦部材および水平横部材のうちいずれか一方の対の上縁間に、室外機を支持するための水平支持部材を架設し、
前記水平縦部材および水平横部材のうち他方の対を、前記水平支持部材と略同じ高さ位置となるように結合したことを特徴とする請求項５に記載の枠状据付台。
【発明の詳細な説明】
【技術分野】
【０００１】
本発明は、空調機器やヒートポンプ式給湯機等の室外機を設置するのに用いる枠状据付台に関する。
【背景技術】
【０００２】
従来より、この種の枠状据付台として、特許文献１に開示されるものが知られている。
【０００３】
この特許文献１に開示される枠状据付台は、四本の垂直部材間に水平縦部材と水平横部材とを横架して枠状に組み上げたものである。かかる枠状据付台では、垂直部材の長手方向に沿って、水平縦部材および水平横部材を固定するのに用いる貫通穴が複数形成されており、この貫通穴にボルト等を挿通し、水平縦部材および水平横部材を所期の高さ位置に固定できるようにしてある。
【特許文献１】特開平５−４８０１３号公報
【発明の開示】
【発明が解決しようとする課題】
【０００４】
しかしながら、上記特許文献１に開示される枠状据付台では、室外機を高さ方向に複数段設置する場合や、屋根を設ける場合等には、垂直部材を上まで伸ばした状態で水平縦部材および水平横部材を用いて下段の室外機用の台座枠を組み、当該台座枠上に室外機を設置するため、当該垂直部材が、下段の室外機を設置すべく枠内に導入する際の障害になるという問題があった。
【０００５】
これを回避すべく垂直部材間の間隔を広くすると、枠状据付台が大きくなって、レイアウト上の問題が生じる場合があった。
【０００６】
そこで、本発明は、よりコンパクトな構成で、かつ室外機の設置をより容易に行うことができる枠状据付台を得ることを目的とする。
【課題を解決するための手段】
【０００７】
請求項１の発明にあっては、水平縦部材、水平横部材、および垂直部材を、結合して構築した室外機用の枠状据付台であって、水平縦部材および水平横部材のうちいずれか一方の側縁に固定した平板状結合部材の垂直壁部と、他方の上縁および下縁のうち少なくともいずれか一方に固定した略Ｌ字状に屈曲した板状のＬ型結合部材の垂直壁部とが、相互に略平行に対向し、それら垂直壁部同士で垂直部材を挟み込む状態で、上記平板状結合部材、上記Ｌ型結合部材、および垂直部材を固定することで、水平縦部材、水平横部材、および垂直部材を結合した部材結合箇所を有し、水平縦部材および水平横部材のうちいずれか一方の上縁および下縁の双方に、前記Ｌ型結合部材を、上下方向に相反する姿勢で、かつそれらの垂直壁部同士が略同一平面上に連なるように固定するとともに、それら二つのＬ型結合部材の垂直壁部が、双方とも、水平縦部材および水平横部材のうちいずれか他方の側縁に固定した平板状結合部材の垂直壁部と、相互に略平行に対向するようにし、上縁に固定した前記Ｌ型結合部材と前記平板状結合部材とで一の垂直部材を挟み込み、かつ下縁に固定した前記Ｌ型結合部材と前記平板状結合部材とで別の垂直部材を挟み込む状態で、前記平板状結合部材、二つの前記Ｌ型結合部材、および二つの前記垂直部材を固定することで、水平縦部材、水平横部材、および二つの垂直部材を結合した部材結合箇所を有することを特徴とする。
【０００９】
請求項２の発明にあっては、上記平板状結合部材を略Ｔ字状に形成したことを特徴とする。
【００１０】
請求項３の発明にあっては、上記平板状結合部材および上記Ｌ型結合部材のうち少なくともいずれか一方に、上記垂直部材を上下方向に案内するガイド部を設けたことを特徴とする。
【００１１】
請求項４の発明にあっては、上記平板状結合部材および上記Ｌ型結合部材の相互に対向する垂直壁部の上縁同士または下縁同士を上下方向にずらしたことを特徴とする。
【００１２】
請求項５の発明にあっては、水平縦部材と水平横部材とを上下方向にずらした状態で結合したことを特徴とする。
【００１３】
請求項６の発明にあっては、相互に平行な一対の水平縦部材と相互に平行な一対の水平横部材とを上記平板状結合部材および上記Ｌ型結合部材を用いて相互に結合して室外機の台座枠を形成するとともに、上記水平縦部材および水平横部材のうちいずれか一方の対の上縁間に、室外機を支持するための水平支持部材を架設し、上記水平縦部材および水平横部材のうち他方の対を、上記水平支持部材と略同じ高さ位置となるように結合したことを特徴とする。
【発明の効果】
【００１４】
請求項１の発明によれば、上記平板状結合部材の垂直壁部と上記Ｌ型結合部材の垂直壁部とで、垂直部材を挟み込むようにして、水平縦部材、水平横部材、および垂直部材を固定するため、当該部材結合箇所において、所期の剛性および強度を確保しながら、これら部材を容易に結合することができる。
【００１５】
かかる部材結合箇所では、一本の垂直部材を上下に貫通させてもよいし、二本の垂直部材を上下に連設させて、当該二つの垂直部材の継ぎ目を構成してもよい。後者の場合、垂直部材を上に継ぎ足すことができるようになるため、水平縦部材および水平横部材を用いて構成した台座枠上に室外機を固定した後に垂直部材を設けることができるようになって、室外機を設置すべく枠内に導入する際に垂直部材が障害となるのを抑制することができる上、干渉を避けるべく垂直部材間の間隔を広くとる必要が無くなって、当該枠状据付台をよりコンパクトに構成することができる。
【００１６】
また、水平縦部材、水平横部材、および二つの垂直部材を結合した部材結合箇所において、所期の剛性および強度を確保しながら、これら部材をより容易に結合することができる。そして、かかる構成により、垂直部材を上に継ぎ足すことができるようになるため、水平縦部材および水平横部材を用いて構成した台座枠上に室外機を固定した後に垂直部材を設けることができるようになって、室外機を設置すべく枠内に導入する際に垂直部材が障害となるのを抑制することができる上、干渉を避けるべく垂直部材間の間隔を広くとる必要が無くなって、当該枠状据付台をよりコンパクトに構成することができる。
【００１７】
請求項２の発明によれば、上記平板状結合部材を略Ｔ字状に形成したため、部材結合箇所を垂直部材が上下方向に貫通して、当該平板状結合部材によって当該垂直部材と水平縦部材または水平横部材とが略Ｔ字状に結合される場合に、平板状結合部材の無駄を低減することができる。
【００１８】
請求項３の発明によれば、上記ガイド部によって垂直部材を上下方向に案内することができるため、当該部材結合箇所において、垂直部材をより容易に結合することができる。
【００１９】
請求項４の発明によれば、相互に対向する垂直壁部のうちいずれか一方を、上または下に突出させることができるため、当該突出した垂直壁部によって、垂直部材を結合する際に、当該垂直部材を所定の結合位置まで案内することができる。
【００２０】
請求項５の発明によれば、水平縦部材と水平横部材とを上下方向にずらすことで、上記相互に対向する垂直壁部の上縁同士または下縁同士が上下方向にずれた状態を容易に得ることができる。
【００２１】
請求項６の発明によれば、上記水平縦部材および水平横部材のうち他方の対と上記水平支持部材との下に、略一定高さの空間を確保することができる。
【発明を実施するための最良の形態】
【００２２】
以下、本発明の実施形態について図面を参照しながら詳細に説明する。図１は、本実施形態にかかる枠状据付台を用いて室外機を上下に二段設置した状態を示す斜視図、図２は、枠状据付台の下段の室外機用の台座枠を示す分解斜視図、図３は、枠状据付台で用いられる平板状結合部材を示す斜視図、図４は、枠状据付台で用いられるＬ型結合部材を垂直部材に取り付ける様子を示す図、図５は、枠状据付台の部材結合箇所を示す側面図、図６は、枠状据付台の台座枠に水平支持部材および下段の室外機を取り付ける様子を示す分解斜視図、図７は、枠状据付台の台座枠上に垂直部材を取り付ける様子を示す分解斜視図、図８は、枠状据付台の上段の台座枠上に水平支持部材および上段の室外機を取り付ける様子を示す分解斜視図である。
【００２３】
図１に示すように、本実施形態にかかる枠状据付台１は、水平縦部材２、水平横部材３、垂直部材４、および水平支持部材７を、平板状結合部材５やＬ型結合部材６等の結合部材を用いて枠状に結合してなるものであり、本実施形態では、二段に階層化して、室外機Ｕを上下二段に設置するのに用いられる。なお、本実施形態では、室外機Ｕの前側（吹出口側）および後側に設けられる一対の水平部材を水平横部材３と称し、室外機Ｕの側方に設けられる一対の水平部材を水平縦部材２と称する。
【００２４】
図２に示すように、一段目（下段）の台座枠は、比較的短い四本の垂直部材４の上端部で、一対の水平縦部材２および一対の水平横部材３を矩形状に結合して構成される。
【００２５】
この台座枠では、水平横部材３の長手方向両端部には平板状結合部材５が固定される一方、水平縦部材２の長手方向両端部にはＬ型結合部材６が各々二つずつ固定される。
【００２６】
図３に示すように、平板状結合部材５は、略Ｔ字状の垂直壁部５ａを備えている。Ｔ字の各辺の側縁には、垂直壁部５ａと垂直な側壁部５ｂを立設して、Ｔ字の各辺の断面を略Ｕ字状（略コ字状）とし、これにより、平板状結合部材５の剛性の向上を図っている。また、垂直壁部５ａの各辺には、ネジ固定用の貫通孔５ｃが設けられている。
【００２７】
この平板状結合部材５は、Ｔ字垂辺部の断面Ｕ字形状を水平横部材３の長手方向端部の前縁（前面）３ａ側に被せるようにして、ネジ１０により固定される。なお、ネジ１０は、平板状結合部材５の貫通孔５ｃに挿通され、水平横部材３に形成される雌ネジ孔（図示せず）に螺結される。
【００２８】
一方、Ｌ型結合部材６は、帯状の板状部材をＬ字状に屈曲させて垂直壁部６ａと水平壁部６ｃとを形成している。さらに、その幅方向両端部には、垂直壁部６ａまたは水平壁部６ｃと垂直な側壁部６ｂを立設して、断面形状を略Ｕ字状（略コ字状）とし、これにより、Ｌ型結合部材６の剛性の向上を図っている。また、垂直壁部６ａおよび水平壁部６ｃには、それぞれネジ固定用の貫通孔（図示せず）が設けられている。
【００２９】
本実施形態では、水平縦部材２および水平横部材３は、いずれも、側壁部の開口側端縁に折り曲げフランジ部を有する断面略Ｃ字状のリップＣ型鋼として構成されており、Ｌ型結合部材６は、リップＣ型鋼の開口側の端縁に装着すべく、ネジ１０に螺合された矩形状のナット１１を備えている。すなわち、図４の（ａ）に示すように、ナット１１の長手方向を、リップＣ型鋼（図４では垂直部材４）の長手方向に沿わせた姿勢で、当該リップＣ型鋼の開断面内に当該ナット１１を挿入しつつ、Ｌ型結合部材６を当該開口側端縁（垂直部材４の前後方向の端縁４ｂ）の所定の位置に当接させ、ネジ１０を回動させることでナット１１の長手方向端部とリップ部４ｄとを係合させ、当該ネジ１０とナット１１とでリップ部４ｄを狭持するようにして、Ｌ型結合部材６をリップＣ型鋼（垂直部材４）に固定している。なお、仮止め状態では、Ｌ型結合部材６をリップＣ型鋼の長手方向に沿ってスライドさせることができる。このＬ型結合部材６は、その断面Ｕ字形状をリップＣ型鋼（垂直部材４）の開口側端縁（端縁４ｂ）に被せるようにして固定される。
【００３０】
また、このＬ型結合部材６は、リップＣ型鋼の底壁部にも固定できるように構成されている。すなわち、Ｌ型結合部材６の断面Ｕ字形状をリップＣ型鋼の底壁部に外側から被せるようにして当接させ、Ｌ型結合部材６の貫通孔（図示せず）を挿通させたネジ１０を、当該底壁部に形成されたネジ孔（図示せず）に螺結することで、Ｌ型結合部材６がリップＣ型鋼の底壁部に固定される。
【００３１】
本実施形態では、かかるＬ型結合部材６が、リップＣ型鋼として構成される水平縦部材２の長手方向の両端部の上縁（上面）２ａ側および下縁２ｂ側の双方に装着される。このとき、水平縦部材２の長手方向各端部において、二つのＬ型結合部材６は、上下方向に相反する姿勢で固定される。
【００３２】
そして、本実施形態では、図５に示すように、水平横部材３の長手方向端部の前後方向の端縁３ａに固定した平板状結合部材５の垂直壁部５ａと、水平縦部材２の長手方向端部の上縁２ａおよび下縁２ｂに固定した二つのＬ型結合部材６の垂直壁部６ａとで、垂直部材４（の前後方向の端縁４ａ，４ｂ）を挟み込む状態で、ネジ１０を用いて、平板状結合部材５、Ｌ型結合部材６、および垂直部材４を固定し、以て、水平縦部材２、水平横部材３、および垂直部材４同士を相互に結合している。
【００３３】
かかる部材同士の結合は、ネジ１０を用いて容易に行うことができる。また、このように、二つの垂直壁部５ａ，６ａによって垂直部材４を挟み込むようにしたことで、この部材結合箇所（特に垂直部材４）の剛性および強度を向上することができる。
【００３４】
また、本実施形態では、この部材結合箇所において、二つの垂直部材４，４を上下に連設し、これら二つの垂直部材４，４の継ぎ目を構成している。具体的には、平板状結合部材５のＴ字形状の上辺部の両端部をそれぞれ、上側および下側の垂直部材４，４に固定するとともに、上側のＬ型結合部材６を上側の垂直部材４に固定する一方、下側のＬ型結合部材６を下側の垂直部材４に固定している。
【００３５】
このとき、本実施形態では、二つの垂直部材４，４の継ぎ目部を、垂直壁部５ａ，６ａで挟み込むようにして、当該継ぎ目部における接合剛性および接合強度の向上を図っている。なお、継ぎ目の位置は、平板状結合部材５および水平横部材３の上下方向のほぼ中央位置としている。
【００３６】
また、垂直部材４には、適宜、けがき線等の指標４ｃを設け、Ｌ型結合部材６を所期の高さ位置に固定できるようにしている。
【００３７】
さらに、本実施形態では、この部材結合箇所において、垂直壁部５ａ，６ａの上縁５ｄ，６ｄ同士を、上下方向にずらしている。本実施形態では、平板状結合部材５の上縁５ｄを、Ｌ型結合部材６の上縁６ｄより下方に配置している。
【００３８】
そして、図６に示すように、部材同士を結合して構成した台座枠の一対の水平横部材３間に一対の水平支持部材７を水平縦部材２に沿って相互に平行に架設し、当該水平支持部材７の上面に緩衝材１６を介して、一段目（下段）の室外機Ｕの脚部１７を固定し、以て、台座枠上に当該室外機Ｕを取り付ける。
【００３９】
ここで、水平支持部材７は、水平横部材３の上縁間に架設するとともに、水平縦部材２を水平横部材３より上方にずらし、水平縦部材２（の下縁）と水平支持部材７（の下縁）とが略同じ高さ位置となるようにしている。
【００４０】
なお、この台座枠は、一対の相互に平行な接地部材８に固定される。本実施形態では、接地部材８は、地中に埋設されたアンカボルト１２に、寸切ボルト１４を螺結し、そのワッシャとしての押圧板１３を、寸切ボルト１４に螺結したナット１５によって接地部材８の上面に押さえ付けることで、接地固定される。また、本実施形態では、接地部材８を水平縦部材２と平行に設け、接地部材８の長手方向端部と垂直部材４の下端部とをＬ型結合部材６を用いて結合している。
【００４１】
こうして、一段目（下段）の室外機Ｕを取り付けた後、図７に示すように、四本の垂直部材４を固定する。このとき、台座枠の角部では、平板状結合部材５とＬ型結合部材６の垂直壁部５ａ，６ａが垂直部材４が丁度挿入される間隔で相互に対向して立設しており、垂直部材４をこれら垂直壁部５ａ，６ａ間に挿入して、所定の結合位置に案内することができる。
【００４２】
このとき、これら平板状結合部材５およびＬ型結合部材６において、垂直壁部５ａ，６ａとともにＵ字状断面をなす側壁部５ｂ，６ｂも、側方（本実施形態では水平横部材３に沿う方向）への移動を規制しつつ垂直部材４を上下方向に案内するガイド部として機能することになる。
【００４３】
また、本実施形態では、上述したように、平板状結合部材５の上縁５ｄと、Ｌ型結合部材６の上縁６ｄとを上下方向にずらしているため、平板状結合部材５とＬ型結合部材６との間隙に垂直部材４を挿入する際に、垂直部材４を、平板状結合部材５およびＬ型結合部材６のうち突出した片側（本実施形態の場合Ｌ型結合部材６）のみに先に当接させて、当該間隙内にスムーズに導入案内することができる。
【００４４】
なお、上側のＬ型結合部材６を水平縦部材２に対して仮止めしておき、垂直部材４を所期の位置に配置した後にＬ型結合部材を水平縦部材２に固定するようにしてもよい。
【００４５】
そして、図８に示すように、一段目（下段）の台座枠と同様にして、垂直部材４の上縁部に、水平縦部材２および水平横部材３を架設固定して、二段目（上段）の台座枠を構築し、さらに、一対の水平横部材３間に一対の水平支持部材７を架設して、当該水平支持部材７上に二段目（上段）の室外機Ｕを取り付ける。
【００４６】
ここで、二段目の台座枠では、複数の垂直部材４，４の継ぎ目は形成されず、水平縦部材２および水平横部材３の部材結合箇所では、一本の垂直部材４が上下に貫通している。すなわち、本実施形態にかかる平板状結合部材５およびＬ型結合部材６は、いずれも、台座枠の部材結合箇所において、一本の垂直部材４を貫通させる場合と、二本の垂直部材４を継ぎ足す場合との双方に共用可能であり、また、これら平板状結合部材５およびＬ型結合部材６を用いて、上下の台座枠間の任意の高さ位置で、補強部材として垂直部材４，４間に水平縦部材２または水平横部材３を架設することができる。
【００４７】
なお、垂直部材４は、倒れ防止用のワイヤ１８で懸架するのが好適である。
【００４８】
以上の本実施形態によれば、平板状結合部材５の垂直壁部５ａとＬ型結合部材６の垂直壁部６ａとで、垂直部材４を挟み込むようにして、水平縦部材２、水平横部材３、および垂直部材４を固定するため、当該部材結合箇所において、所期の剛性および強度を確保しながら、これら部材を容易に結合することができる。
【００４９】
特に、本実施形態では、当該部材結合箇所において、垂直部材４を継ぎ足すようにしたため、室外機Ｕを水平縦部材２および水平横部材３を用いて構成した台座枠上に固定した後に垂直部材４を設けることができるようになって、室外機Ｕを設置すべく枠内に導入する際に垂直部材４が障害となるのを抑制することができる上、干渉を避けるべく垂直部材４間の間隔を広くとる必要が無くなってよりコンパクトな構成とすることができる。
【００５０】
また、その場合、平板状結合部材５の垂直壁部５ａとＬ型結合部材６の垂直壁部６ａとで、垂直部材４の挿入口が構成されることになるため、垂直部材４を所期の位置により容易にかつより円滑に設けることができるようになる。
【００５１】
また、本実施形態によれば、平板状結合部材５を略Ｔ字状に形成したため、部材結合箇所を一本または二本の垂直部材４が上下方向に貫通して、当該平板状結合部材５によって水平横部材３と垂直部材４とが略Ｔ字状に結合される場合に、平板状結合部材５の無駄を低減することができる。
【００５２】
また、本実施形態によれば、ガイド部としての側壁部５ｂ，６ｂによって垂直部材４を上下方向に案内することができるため、当該部材結合箇所において、垂直部材４をより容易に結合することができる。
【００５３】
また、本実施形態によれば、相互に対向する垂直壁部５ａ，６ａの上縁同士５ｄ，６ｄまたは下縁同士５ｄ，６ｄを上下方向にずらし、相互に対向する垂直壁部５ａ，６ａのうちいずれか一方を上または下に突出させることで、当該突出した側の垂直壁部（本実施形態では６ａ）によって、垂直部材４を所定の結合位置までより円滑に案内することができる。
【００５４】
また、本実施形態によれば、水平縦部材２と水平横部材３とを上下方向にずらすことで、相互に対向する垂直壁部５ａ，６ａの上縁同士５ｄ，６ｄまたは下縁同士５ｄ，６ｄが上下方向にずらした状態を容易に得ることができる。
【００５５】
また、本実施形態によれば、水平縦部材２の対と水平支持部材７との下に、横方向に略一定高さの空間を確保することができるため、室外機Ｕ用の配管を配索するスペースとして効果的に利用することができるようになる。
【００５６】
以上、本発明の好適な実施形態について説明したが、本発明は上記実施形態には限定されず、種々の変形が可能である。
【００５７】
例えば、上記実施形態では、平板状結合部材を水平横部材に設け、Ｌ型結合部材を水平縦部材に設けたが、これを逆の組み合わせとしてもよい。
【００５８】
また、水平縦部材と水平横部材とを同じ高さ位置に設けてもよいし、水平縦部材と水平横部材とをずらす方向を逆に設定してもよい。
【００５９】
また、上記実施形態では、室外機を二段重ねにした場合を例示したが、室外機上に垂直部材を用いて屋根を取り付ける場合や、さらに多段に積層する場合にも、上記実施形態と全く同様にして対応することができる。
【００６０】
また、平板状結合部材やＬ型結合部材、水平縦部材、水平横部材、垂直部材等を、上記実施形態に開示した以外の形状としてもよい。
【図面の簡単な説明】
【００６１】
【図１】本発明の実施形態にかかる枠状据付台を用いて室外機を上下に二段設置した状態を示す斜視図。
【図２】本発明の実施形態にかかる枠状据付台の下段の室外機用の台座枠を示す分解斜視図。
【図３】本発明の実施形態にかかる枠状据付台で用いられる平板状結合部材を示す斜視図。
【図４】本発明の実施形態にかかる枠状据付台で用いられるＬ型結合部材を垂直部材に取り付ける様子を示す平面図。
【図５】本発明の実施形態にかかる枠状据付台の部材結合箇所を示す側面図。
【図６】本発明の実施形態にかかる枠状据付台の台座枠に水平支持部材および下段の室外機を取り付ける様子を示す分解斜視図。
【図７】本発明の実施形態にかかる枠状据付台の台座枠上に垂直部材を取り付ける様子を示す分解斜視図。
【図８】本発明の実施形態にかかる枠状据付台の上段の台座枠上に水平支持部材および上段の室外機を取り付ける様子を示す分解斜視図。
【符号の説明】
【００６２】
１  枠状据付台
２  水平縦部材
２ａ  （水平縦部材の）上縁
２ｂ  （水平縦部材の）下縁
３  水平横部材
３ａ  （水平横部材の）前後方向の端縁（側縁）
４  垂直部材
５  平板状結合部材
５ａ  垂直壁部
５ｂ  側縁部（ガイド部）
５ｄ  （平板状結合部材の）上縁または下縁
６  Ｌ型結合部材
６ａ  垂直壁部
６ｂ  側縁部（ガイド部）
６ｄ  （Ｌ型結合部材の）上縁または下縁
７  水平支持部材
Ｕ  室外機
【図１】
0004666153.tif 000002
【図２】
0004666153.tif 000003
【図３】
0004666153.tif 000004
【図４】
0004666153.tif 000005
【図５】
0004666153.tif 000006
【図６】
0004666153.tif 000007
【図７】
0004666153.tif 000008
【図８】
0004666153.tif 000009